【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
記録媒体に対してデータを記録または再生する記録再生装置において、
前記データを前記記録媒体に対して記録する記録手段と、
前記データを前記記録媒体に記録したとき、そのデータを、既に記録されているデータに対して連続して再生可能であるか否かを判定する判定手段と、
前記判定手段の判定結果に対応して、データの連続再生に関する処理を実行する実行手段と
を備えることを特徴とする記録再生装置。
【請求項２】
前記実行手段は、前記判定手段が、前記連続再生が不可能であると判定したとき、前記データの記録位置を変更する
ことを特徴とする請求項１に記載の記録再生装置。
【請求項３】
前記実行手段は、前記判定手段が、前記連続再生が不可能であると判定したとき、連続再生が不可能であることを表す連続再生情報を前記記録媒体に記録する
ことを特徴とする請求項１に記載の記録再生装置。
【請求項４】
前記データは、少なくとも第１のデータ区間と、前記第１のデータ区間の再生時間よりも後の第２のデータ区間とを有し、
前記判定手段は、少なくとも、前記第１のデータ区間から前記第２のデータ区間を再生する間に読み出しチャネル用バッファが空になるとき、前記連続再生が不可能であると判定する
ことを特徴とする請求項１に記載の記録再生装置。
【請求項５】
記録媒体に対してデータを記録または再生する記録再生装置の記録再生方法において、
前記データを前記記録媒体に対して記録する記録ステップと、
前記データを前記記録媒体に記録したとき、そのデータを、既に記録されているデータに対して連続して再生可能であるか否かを判定する判定ステップと、
前記判定ステップでの判定結果に対応して、データの連続再生に関する処理を実行する実行ステップと
を含むことを特徴とする記録再生方法。
【請求項６】
記録媒体に対してデータを記録または再生する記録再生装置に、
前記データを前記記録媒体に対して記録する記録ステップと、
前記データを前記記録媒体に記録したとき、そのデータを、既に記録されているデータに対して連続して再生可能であるか否かを判定する判定ステップと、
前記判定ステップでの判定結果に対応して、データの連続再生に関する処理を実行する実行ステップと
を含む処理を実行させるプログラムを提供することを特徴とする提供媒体。
【請求項７】
記録媒体に対してデータを記録または再生する記録再生装置において、
前記記録媒体に記録されているデータを再生する再生手段と、
前記再生手段により再生されたデータから、前記データの連続再生が可能か否かを表す連続再生情報を抽出する抽出手段と、
前記抽出手段により抽出された前記連続再生情報に対応して、前記再生手段により再生されたデータに対してギャップを付加する付加手段と
を備えることを特徴とする記録再生装置。
【請求項８】
記録媒体に対してデータを記録または再生する記録再生装置の記録再生方法において、
前記記録媒体に記録されているデータを再生する再生ステップと、
前記再生ステップで再生されたデータから、前記データの連続再生が可能か否かを表す連続再生情報を抽出する抽出ステップと、
前記抽出ステップで抽出された前記連続再生情報に対応して、前記再生ステップで再生されたデータに対してギャップを付加する付加ステップと
を含むことを特徴とする記録再生方法。
【請求項９】
記録媒体に対してデータを記録または再生する記録再生装置に、
前記記録媒体に記録されているデータを再生する再生ステップと、
前記再生ステップで再生されたデータから、前記データの連続再生が可能か否かを表す連続再生情報を抽出する抽出ステップと、
前記抽出ステップで抽出された前記連続再生情報に対応して、前記再生ステップで再生されたデータに対してギャップを付加する付加ステップと
を含む処理を実行させるプログラムを提供することを特徴とする提供媒体。
【手続補正２】
【補正対象書類名】明細書
【補正対象項目名】０００７
【補正方法】変更
【補正の内容】
【０００７】
請求項５に記載の記録再生方法は、データを記録媒体に対して記録する記録ステップと、データを記録媒体に記録したとき、そのデータを、既に記録されているデータに対して連続して再生可能であるか否かを判定する判定ステップと、判定ステップでの判定結果に対応して、データの連続再生に関する処理を実行する実行ステップとを含むことを特徴とする。
【手続補正３】
【補正対象書類名】明細書
【補正対象項目名】０００８
【補正方法】変更
【補正の内容】
【０００８】
請求項６に記載の提供媒体は、記録媒体に対してデータを記録または再生する記録再生装置に、データを記録媒体に対して記録する記録ステップと、データを記録媒体に記録したとき、そのデータを、既に記録されているデータに対して連続して再生可能であるか否かを判定する判定ステップと、判定ステップでの判定結果に対応して、データの連続再生に関する処理を実行する実行ステップとを含む処理を実行させるプログラムを提供することを特徴とする。
【手続補正４】
【補正対象書類名】明細書
【補正対象項目名】０００９
【補正方法】変更
【補正の内容】
【０００９】
請求項７に記載の記録再生装置は、記録媒体に記録されているデータを再生する再生手段と、再生手段により再生されたデータから、データの連続再生が可能か否かを表す連続再生情報を抽出する抽出手段と、抽出手段により抽出された連続再生情報に対応して、再生手段により再生されたデータに対してギャップを付加する付加手段とを備えることを特徴とする。
【手続補正５】
【補正対象書類名】明細書
【補正対象項目名】００１０
【補正方法】変更
【補正の内容】
【００１０】
請求項８に記載の記録再生方法は、記録媒体に記録されているデータを再生する再生ステップと、再生ステップで再生されたデータから、データの連続再生が可能か否かを表す連続再生情報を抽出する抽出ステップと、抽出ステップで抽出された連続再生情報に対応して、再生ステップで再生されたデータに対してギャップを付加する付加ステップとを含むことを特徴とする。
【手続補正６】
【補正対象書類名】明細書
【補正対象項目名】００１１
【補正方法】変更
【補正の内容】
【００１１】
請求項９に記載の提供媒体は、記録媒体に対してデータを記録または再生する記録再生装置に、記録媒体に記録されているデータを再生する再生ステップと、再生ステップで再生されたデータから、データの連続再生が可能か否かを表す連続再生情報を抽出する抽出ステップと、抽出ステップで抽出された連続再生情報に対応して、再生ステップで再生されたデータに対してギャップを付加する付加ステップとを含む処理を実行させるプログラムを提供することを特徴とする。
【手続補正７】
【補正対象書類名】明細書
【補正対象項目名】００１２
【補正方法】変更
【補正の内容】
【００１２】
請求項１に記載の記録再生装置、請求項５に記載の記録再生方法、および請求項６に記載の提供媒体においては、既に記録されているデータに対して連続して再生可能であるか否かの判定結果に対応して、データの連続再生に関する処理が実行される。
【手続補正８】
【補正対象書類名】明細書
【補正対象項目名】００１３
【補正方法】変更
【補正の内容】
【００１３】
請求項７に記載の記録再生装置、請求項８に記載の記録再生方法、および請求項９に記載の提供媒体においては、記録媒体から再生された連続再生情報に対応して、データに対してギャップが付加される。
【手続補正９】
【補正対象書類名】明細書
【補正対象項目名】００１６
【補正方法】変更
【補正の内容】
【００１６】
請求項７に記載の記録再生装置は、記録媒体に記録されているデータを再生する再生手段（例えば、図２５の光ヘッド２）と、再生手段により再生されたデータから、データの連続再生が可能か否かを表す連続再生情報を抽出する抽出手段（例えば、図５０のステップＳ４１）と、抽出手段により抽出された連続再生情報に対応して、再生手段により再生されたデータに対してギャップを付加する付加手段（例えば、図５０のステップＳ４６）とを備えることを特徴とする。
【手続補正１０】
【補正対象書類名】明細書
【補正対象項目名】０１８１
【補正方法】変更
【補正の内容】
【０１８１】
【発明の効果】
以上の如く、請求項１に記載の記録再生装置、請求項５に記載の記録再生方法、および請求項６に記載の提供媒体によれば、データを既に記録されているデータに対して連続して再生可能であるか否かを判定し、その判定結果に対応して、連続再生に関する処理を実行するようにしたので、互換性を確保可能な記録媒体を実現することができる。
【手続補正１１】
【補正対象書類名】明細書
【補正対象項目名】０１８２
【補正方法】変更
【補正の内容】
【０１８２】
請求項７に記載の記録再生装置、請求項８に記載の記録再生方法、および請求項９に記載の提供媒体によれば、記録媒体から抽出された連続再生情報に対応して、ギャップを付加するようにしたので、記録再生装置のバッファの容量の違いに拘らず、互換性を確保することができる。従って、ユーザが装置の故障と誤認するのを抑制することができる。